(57)【特許請求の範囲】
【請求項１】
メインロープと、
前記メインロープの一端に固定される乗りかごと、
前記メインロープの他端に固定されるつり合い重りと、
前記メインロープを介して前記乗りかごおよび前記つり合い重りを昇降させる巻上機と、
前記乗りかごに接続されるとともに、前記乗りかごに制御信号および電力を供給するテールコードと、
前記メインロープとは独立に設けられるとともに、前記乗りかごと前記つり合い重りとに接続されるコンペンチェーンと、
前記つり合い重りの昇降をガイドするカウンターレールと、
前記つり合い重りの下方に配置されるとともに、プランジャを有するバッファと、
前記プランジャの先端部と、前記カウンターレールとの間に張られたワイヤと、
前記カウンターレールの近傍に設けられるとともに、前記バッファの作動を検出する検出部と、
を具備し、
前記ワイヤは、前記プランジャの先端部に固定される第１の端部とは反対側の第２の端部において前記検出部に固定されるとともに、前記バッファが作動される際に前記検出部を操作することを特徴とするエレベータ。
【請求項２】
前記プランジャの先端部は、前記ワイヤの取付部となるプレートを有し、
前記ワイヤは、前記プランジャの先端部に固定される第１の端部と、前記第１の端部とは反対側の第２の端部と、を有し、
前記プレートは、その縁部の近傍に、前記ワイヤの第１の端部を固定するための固定部を含んでいることを特徴とする請求項１に記載のエレベータ。
【請求項３】
前記ワイヤの長さを調整することが可能な調整機構を有することを特徴とする請求項２に記載のエレベータ。
【請求項４】
前記ワイヤは、警告色で着色されていることを特徴とする請求項１に記載のエレベータ。
【発明の詳細な説明】
【技術分野】
【０００１】
本発明は、耐震構造を施したエレベータに関する。
【背景技術】
【０００２】
例えば、オイルバッファのプランジャの回転を防いだエレベータとして以下のものが開示されている。このエレベータは、乗りかごと、乗りかごを昇降させるためのメインロープと、乗りかごに電力および制御信号を供給するテールコードと、メインロープおよびテールコードの重量アンバランスを補償するためのコンペンチェーンと、を有している。テールコードおよびコンペンチェーンは、乗りかごから下方に吊り下げられている。エレベータは、さらに、昇降路の底部に設けられるとともに軸方向に進退するプランジャを有するオイルバッファと、オイルバッファの側部に配置されるプランジャ復帰確認スイッチと、プランジャに取り付けられるとともに、プランジャ復帰確認スイッチを切り替えるスイッチ切り替え部材と、プランジャが軸心周りに回転するのを防止する回り止め機構と、を備えている。
【０００３】
このようなエレベータでは、プランジャの作動後、プランジャが元の位置に復帰する際に、スイッチ切り替え部材がプランジャ復帰確認スイッチを切り替える。これによって、エレベータの電源がＯＮとなりエレベータの運転が再開される。一方、プランジャの作動後に、プランジャが元の位置に戻らない場合には、プランジャ復帰確認スイッチがＯＦＦの状態のままとなる。このため、電源が遮断されたままの状態となり、エレベータの運転が再開されることがない。また、回り止め機構によってプランジャの回転が抑制されるため、プランジャ復帰確認スイッチは、スイッチ切り替え部材によって正常に作動される（例えば、特許文献１参照）。
【特許文献１】特開２００４−１０３２７号公報
【発明の開示】
【発明が解決しようとする課題】
【０００４】
しかしながら、上記従来のエレベータでは、プランジャに対して何らの手当てもなされていないため、地震などが発生した際に、プランジャの先端にロープ群であるメインロープ、テールコード、コンペンチェーンが巻きついて引っかかる恐れがある。このため、エレベータの故障につながる可能性があり、改良の余地があった。
【０００５】
本発明の目的は、バッファのプランジャにロープ群が引っかかってしまうことを防止することが可能なエレベータを提供することにある。
【課題を解決するための手段】
【０００６】
本発明のエレベータは、メインロープと、前記メインロープの一端に固定される乗りかごと、前記メインロープの他端に固定されるつり合い重りと、前記メインロープを介して前記乗りかごおよび前記釣合い重りを昇降させる巻上機と、前記乗りかごに接続されるとともに、前記乗りかごに制御信号および電力を供給するテールコードと、前記メインロープとは独立に設けられるとともに、前記乗りかごと前記つり合い重りとに接続されるコンペンチェーンと、前記つり合い重りの昇降をガイドするカウンターレールと、前記つり合い重りの下方に配置されるとともに、軸方向に進退できるプランジャを有するバッファと、前記プランジャの先端部と、前記カウンターレールとの間の位置に張られたワイヤと、を具備する。
【発明の効果】
【０００７】
本発明に係るエレベータによれば、簡単な構造で、バッファのプランジャにロープ群が引っかかってしまうことを防止することが可能なエレベータを提供できる。
【発明を実施するための最良の形態】
【０００８】
以下、図１から図５を参照して、エレベータの実施形態について説明する。
【０００９】
図１と図２に示すように、エレベータ１１は、昇降路１２と、昇降路１２内を昇降できる乗りかご１３と、昇降路１２の上方に設けられた機械室１４と、一端で乗りかご１３に固定されるメインロープ１５と、メインロープ１５が巻きかけられる巻上機１６と、メインロープ１５の他端に固定されるつり合い重り１７と、を備えている。
【００１０】
また、エレベータ１１は、つり合い重り１７の上方で巻上機１６に隣接して設けられたそらせシーブ１８と、乗りかご１３の昇降をガイドするメインレールと、つり合い重り１７の昇降をガイドするカウンターレール２２と、乗りかご１３に制御信号および電力を供給するテールコード２３と、乗りかご１３とつり合い重り１７とを接続するコンペンチェーン２４と、を備えている。エレベータ１１は、昇降路１２の底部に設けられる乗りかご用バッファ２５およびつり合い重り用バッファ２６と、つり合い重り用バッファ２６のプランジャ２７の先端部とカウンターレール２２との間に位置に張られたワイヤ２８と、を備えている。
【００１１】
エレベータ１１は、さらに、つり合い重り用バッファ２６の作動を検出する検出部であるスイッチ３１と、乗りかご１３の昇降速度を調整するガバナと、エレベータ１１の駆動を統括的に制御する制御盤などを備えている。巻上機１６は、メインロープ１５を介して乗りかご１３およびつり合い重り１７を昇降させる。テールコード２３は、一端で乗りかご１３に接続されており、乗りかご１３から下方に垂れ下がっている。
【００１２】
コンペンチェーン２４は、メインロープ１５とは独立に設けられている。コンペンチェーン２４は、乗りかご１３の下部と、つり合い重り１７の下部とを連結している。コンペンチェーン２４は、乗りかご１３の高さ位置によって生じるメインロープ１５やテールコード２３の重量アンバランスを補償するためのものである。乗りかご用バッファ２５は、乗りかご１３の下方に配置されている。つり合い重り用バッファ２６は、つり合い重り１７の下方に配置されている。
【００１３】
乗りかご用バッファ２５およびつり合い重り用バッファ２６は、ほぼ同じような構造を有している。このため、ここでは図３を参照してつり合い重り用バッファ２６を代表して説明する。つり合い重り用バッファ２６は、バッファ本体３３と、バッファ本体３３から上方に突出したプランジャ２７と、プランジャ２７の先端部に取り付けられたプレート３４と、を有している。プランジャ２７は、その軸方位に沿って進退することができる。プレート３４は、略方形に形成されており、ワイヤ２８の取付部として機能する。プレート３４は、ワイヤ２８の第１の端部２８Ａを固定するための固定部である貫通孔３４Ａを有している。固定部である貫通孔３４Ａは、プレート３４の縁部３４Ｂの近傍に配置されている。また、プランジャ２７の先端部でプレート３４よりも上側の位置には、ゴム製の緩衝材３５が設けられている。ゴム製の緩衝材３５は、つり合い重り１７が突き当たった際に衝撃を吸収する。
【００１４】
図３に示すように、ワイヤ２８は、一般的な構造のワイヤで構成されており、例えば、複数の鋼鉄製の線材をより合わせて形成されている。ワイヤ２８は、例えば、黄色やオレンジ色、赤色などの注意を喚起するいわゆる警告色で着色されており、その存在が目立つようになっている。ワイヤ２８は、プランジャ２７の先端部に固定される第１の端部２８Ａと、第１の端部２８Ａとは反対側に位置する第２の端部２８Ｂと、を備えている。エレベータ１１は、第２の端部２８Ｂに介在される調整機構３６を有しており、調整機構３６は、ワイヤ２８の長さを調整することができる。
【００１５】
第１の端部２８Ａは、プレート３４の貫通孔３４Ａに固定されている。第２の端部２８Ｂは、スイッチ３１の後述するアーム部３１Ａに固定されている。調整機構３６は、例えば、ターンバックルで構成されており、ワイヤ２８の長さを任意に調整することができる。
【００１６】
図２と図３に示すように、検出部であるスイッチ３１は、カウンターレール２２の近傍に設けられている。スイッチ３１は、例えば、ブラケット３７を介してカウンターレール２２に固定されている。スイッチ３１は、回動可能なアーム部３１Ａを有している。なお、ワイヤ２８は、スイッチ３１の操作機構を兼ねており、つり合い重り用バッファ２６の動作に連動して、スイッチ３１を操作することができる。
【００１７】
続いて、図４と図５を参照して、つり合い重り用バッファ２６の作動の検出過程について説明する。図４に示すように、つり合い重り用バッファ２６が作動していないとき、スイッチ３１のアーム部３１Ａは、上方に配置している。このとき、スイッチ３１は、例えば制御盤にＯＦＦの信号を送信する。これによってスイッチ３１は、つり合い重り用バッファ２６が作動していないことを制御盤に報知する。一方、つり合い重り１７が落下すると、図５に示すように、つり合い重り用バッファ２６のプランジャ２７が押し込まれる。これによって、ワイヤ２８の設置高さが下がると、アーム部３１Ａが下方に回動される。このとき、例えば、スイッチ３１は、制御盤にＯＮの信号を送信する。これによって、スイッチ３１は、つり合い重り用バッファ２６が作動していることを制御盤に報知する。
【００１８】
続いて、図２を参照して、地震時におけるワイヤ２８の作用について説明する。図２に示すように、つり合い重り１７が昇降路１２の底部の近傍にあるとき、例えば、メインロープ１５、テールコード２３、コンペンチェーン２４といったロープ群３８は、つり合い重り用バッファ２６の近傍に配置されている。この状態において、地震等によってゆれが発生すると、ロープ群３８が振動する。本実施形態では、つり合い重り用バッファ２６のプランジャ２７の先端部とカウンターレール２２の近傍にあるスイッチ３１との間にワイヤ２８が配置されているため、ロープ群３８が振動した場合でも、ロープ群３８がプランジャ２７の先端部に引っかかってしまうことが防止される。これによって、地震等に起因して、エレベータ１１に故障を生じてしまう事態を防止することができる。
【００１９】
以上の構成によれば、地震等により、メインロープ１５、テールコード２３、コンペンチェーン２４といったロープ群３８が振動した場合であっても、これらをワイヤ２８によって跳ね返すことができる。これにより、ロープ群３８がつり合い重り用バッファ２６に引っかかったり、つり合い重り用バッファ２６に巻きついたりすることを防止することができる。このため、ロープ群３８の絡まりによるエレベータ１１の故障を防止することができる。
【００２０】
また、プランジャ２７の先端部は、ワイヤ２８の取付部となるプレート３４を有し、ワイヤ２８は、プランジャ２７の先端部に固定される第１の端部２８Ａと、第１の端部２８Ａとは反対側の第２の端部２８Ｂと、を有し、プレート３４は、その縁部３４Ｂの近傍に、ワイヤ２８の第１の端部２８Ａを固定するための固定部である貫通孔３４Ａを含んでいる。
【００２１】
この構成によれば、プレート３４の縁部３４Ｂの近傍にワイヤ２８の第１の端部２８Ａを配置することができる。これによって、プレート３４の縁部３４Ｂに対して上記ロープ群３８が引っかかってしまう危険性を極力小さくすることができる。
【００２２】
さらに、ワイヤ２８の長さを調整することが可能な調整機構３６を有する。この構成によれば、設置幅の異なる種々のカウンターレール２２に対しても、このワイヤ２８を適用することができる。
【００２３】
また、カウンターレール２２の近傍に設けられるとともに、つり合い重り用バッファ２６の作動を検出する検出部であるスイッチ３１をさらに具備し、ワイヤ２８は、第２の端部２８Ｂにおいてスイッチ３１に固定されるとともに、つり合い重り用バッファ２６が作動される際にスイッチ３１を操作するための操作機構を兼ねている。
【００２４】
この構成によれば、ワイヤ２８の第１の端部２８Ａは、プランジャ２７の先端部に固定され、ワイヤ２８の第２の端部２８Ｂは、スイッチ３１に固定される。これにより、プランジャ２７の作動に連動させて、スイッチ３１を操作することができる。これによって、スイッチ３１を操作するための機構を別途に設ける必要がなく、構造を簡略化することができる。
【００２５】
さらに、ワイヤ２８は、警告色で着色されている。この構成によれば、作業員に対して注意を促すことができ、作業員がつり合い重り１７の下方に入らないようにすることができる。
【００２６】
なお、本実施形態では、つり合い重り用バッファ２６とカウンターレール２２との間にワイヤ２８を設けているが、乗りかご用バッファ２５とメインレール２１との間の位置にワイヤ２８を設けるようにしても良い。
【００２７】
本発明は、前記実施の形態に限定されるものではない。このほか、発明の要旨を逸脱しない範囲で種々変形実施可能であるのは勿論である。
以下に、本願出願の当初の特許請求の範囲に記載された発明を付記する。
［１］
メインロープと、
前記メインロープの一端に固定される乗りかごと、
前記メインロープの他端に固定されるつり合い重りと、
前記メインロープを介して前記乗りかごおよび前記つり合い重りを昇降させる巻上機と、
前記乗りかごに接続されるとともに、前記乗りかごに制御信号および電力を供給するテールコードと、
前記メインロープとは独立に設けられるとともに、前記乗りかごと前記つり合い重りとに接続されるコンペンチェーンと、
前記つり合い重りの昇降をガイドするカウンターレールと、
前記つり合い重りの下方に配置されるとともに、プランジャを有するバッファと、
前記プランジャの先端部と、前記カウンターレールとの間に張られたワイヤと、
を具備することを特徴とするエレベータ。
［２］
前記プランジャの先端部は、前記ワイヤの取付部となるプレートを有し、
前記ワイヤは、前記プランジャの先端部に固定される第１の端部と、前記第１の端部とは反対側の第２の端部と、を有し、
前記プレートは、その縁部の近傍に、前記ワイヤの第１の端部を固定するための固定部を含んでいることを特徴とする［１］に記載のエレベータ。
［３］
前記ワイヤの長さを調整することが可能な調整機構を有することを特徴とする［２］に記載のエレベータ。
［４］
前記カウンターレールの近傍に設けられるとともに、前記バッファの作動を検出する検出部をさらに具備し、
前記ワイヤは、前記第２の端部において前記検出部に固定されるとともに、前記バッファが作動される際に前記検出部を操作するための操作機構を兼ねていることを特徴とする［３］に記載のエレベータ。
［５］
前記ワイヤは、警告色で着色されていることを特徴とする［４］に記載のエレベータ。
【図面の簡単な説明】
【００２８】
【図１】本発明の実施形態に係るエレベータを示す模式図。
【図２】図１に示すつり合い重りの周辺の構造を示す正面図。
【図３】図２に示すつり合い重り用バッファおよびワイヤを示す斜視図。
【図４】図２に示すつり合い重り用バッファおよびスイッチを示す模式図。
【図５】図４に示すつり合い重り用バッファのプランジャが押し込まれた状態を示す模式図。
【符号の説明】
【００２９】
１１…エレベータ、１３…乗りかご、１５…メインロープ、１６…巻上機、１７…つり合い重り、２２…カウンターレール、２３…テールコード、２４…コンペンチェーン、２６…つり合い重り用バッファ、２７…プランジャ、２８…ワイヤ２８Ａ…第１の端部、２８Ｂ…第２の端部、３１…スイッチ、３１Ａ…アーム部、３４…プレート、３４Ａ…貫通孔、３４Ｂ…縁部、３６…調整機構
【図１】
0005093775.tif 000002
【図２】
0005093775.tif 000003
【図３】
0005093775.tif 000004
【図４】
0005093775.tif 000005
【図５】
0005093775.tif 000006